(57)【要約】【課題】構造簡単で小型軽量として低コストで浴室と他室の暖房を行うことができる浴室暖房装置を提供する。【解決手段】浴室２の天井２ａに設置され、浴室２内から取り込んだ空気を浴室送出路９を介して浴室２内へ送出する循環ファン４と、循環ファン４が取り込んだ浴室２内の空気を加熱する加熱部５とを備える浴室暖房装置１において、浴室送出路９から分岐して浴室２及び他室３の天井２ａ，３ａ裏を介して他室３に延びる他室送出路１２と、他室送出路１２を開閉するダンパ１４と設ける。【選択図】図２
2019045121.tif 000002
【特許請求の範囲】
【請求項１】
浴室の天井に設置され、浴室内から取り込んだ空気を浴室送出路を介して浴室内へ送出する循環ファンと、該循環ファンが取り込んだ浴室内の空気を加熱する加熱部とを備える浴室暖房装置において、
前記浴室送出路から分岐して天井裏を介して他室に延びる他室送出路が設けられ、
前記他室送出路を開閉するダンパが設けられていることを特徴とする浴室暖房装置。
【請求項２】
前記ダンパは、前記他室送出路と前記浴室送出路との何れも閉塞可能な形状に形成されて、前記他室送出路を閉塞しているとき前記浴室送出路を開放し、前記浴室送出路を閉塞しているとき前記他室送出路を開放する位置に枢支されており、前記他室送出路の閉塞位置と前記浴室送出路の閉塞位置との間に位置したとき、前記他室送出路と前記浴室送出路との両方を開放することを特徴とする請求項１記載の浴室暖房装置。
【請求項３】
前記他室送出路から分岐して下流端が屋外で開放する換気路と、該換気路を開閉する換気路開閉ダンパとが設けられ、
前記換気路開閉ダンパは、前記換気路を閉塞しているとき前記他室送出路を開放し、前記換気路を開放しているとき前記他室送出路を閉塞する位置に設けられていることを特徴とする請求項１又は２記載の浴室暖房装置。
【請求項４】
前記換気路の上流側に位置する前記他室送出路に換気ファンが設けられていることを特徴とする請求項３記載の浴室暖房装置。
【発明の詳細な説明】
【技術分野】
【０００１】
本発明は、浴室の天井に設置される浴室暖房装置に関する。
【背景技術】
【０００２】
従来、浴室と他室である脱衣室との２室の暖房を行うために、浴室暖房装置に加えて脱衣室用の暖房装置を設置することが行われている（例えば、下記特許文献１参照）。
【０００３】
また、浴室の天井裏に設置した浴室暖房装置に、脱衣室用の暖房ユニットを設けたものが知られている（例えば、下記特許文献２参照）。このものでは、浴室の天井裏に設置した浴室暖房装置が備える脱衣室用の暖房ユニットから温風ダクトを延ばし、この温風ダクトから脱衣室へ温風を供給することにより脱衣室の暖房が行われる。
【先行技術文献】
【特許文献】
【０００４】
【特許文献１】特開２００３−２８７２３６号公報
【特許文献２】特開２００２−２０６７８２号公報
【発明の概要】
【発明が解決しようとする課題】
【０００５】
しかし、特許文献１の構成を採用すると、浴室暖房装置だけでなく脱衣室等の他室にも暖房装置を設置するために、暖房装置が２台分となりコストが高く、浴室と脱衣室との両方の天井裏等に広い設置スペースが必要となる不都合がある。
【０００６】
また、特許文献２のものでは、浴室暖房装置として１台であっても、他室である脱衣室用の暖房ユニットを備えるために実質的には２台の暖房装置と同様であり、装置構成が複雑となって大型化し、その重量も大となる。このため、浴室の天井裏に大きな設置スペースを確保する必要があり、２台の暖房装置を浴室と他室とに設置するものと同様にコストが高い。
【０００７】
上記の点に鑑み、本発明は、構造簡単で小型軽量として低コストで浴室と他室の暖房を行うことができる浴室暖房装置を提供することを目的とする。
【課題を解決するための手段】
【０００８】
かかる目的を達成するために、本発明は、浴室の天井に設置され、浴室内から取り込んだ空気を浴室送出路を介して浴室内へ送出する循環ファンと、該循環ファンが取り込んだ浴室内の空気を加熱する加熱部とを備える浴室暖房装置において、前記浴室送出路から分岐して天井裏を介して他室に延びる他室送出路が設けられ、前記他室送出路を開閉するダンパが設けられていることを特徴とする。
【０００９】
本発明によれば、他室送出路を浴室送出路から分岐させ、天井裏を介して浴室から他室に延設したので、簡単な構成で他室に温風を供給することができる。これにより、低コストで浴室と他室の暖房を行うことができる。
【００１０】
また、本発明において、前記ダンパは、前記他室送出路と前記浴室送出路との何れも閉塞可能な形状に形成されて、前記他室送出路を閉塞しているとき前記浴室送出路を開放し、前記浴室送出路を閉塞しているとき前記他室送出路を開放する位置に枢支されており、前記他室送出路の閉塞位置と前記浴室送出路の閉塞位置との間に位置したとき、前記他室送出路と前記浴室送出路との両方を開放することを特徴とする。
【００１１】
これによれば、ダンパを他室送出路の閉塞位置と浴室送出路の閉塞位置とで切り替えるだけで、他室の暖房と浴室の暖房とを容易に切り替えることができる。更に、ダンパを他室送出路の閉塞位置と前記浴室送出路の閉塞位置との間に位置させるだけで、他室の暖房と浴室の暖房との両方を行うことができる。よって、本発明によれば、構造を簡単として各室の暖房切り替えが容易に行える。
【００１２】
また、本発明においては、前記他室送出路から分岐して下流端が屋外で開放する換気路と、該換気路を開閉する換気路開閉ダンパとが設けられ、前記換気路開閉ダンパは、前記換気路を閉塞しているとき前記他室送出路を開放し、前記換気路を開放しているとき前記他室送出路を閉塞する位置に設けられていることを特徴とする。
【００１３】
これによれば、他室送出路の途中位置に換気路を接続して、浴室の換気を行うことができる。或いは、例えば、浴室暖房装置が換気路を備えていれば、当該換気路の途中位置に他室送出路を接続し、換気路を介して他室送出路に温風を流すことにより、他室の暖房を行うことができる。
【００１４】
更にこのとき、前記換気路の上流側に位置する前記他室送出路に換気ファンが設けられていることが好ましい。これによれば、換気ファンにより強制的に温風を送ることができるので、例えば、浴室から他室までが比較的遠いことにより他室送出路の延設距離が比較的長くなっても他室送出路を流れる風量の低下を防止することができる。
【図面の簡単な説明】
【００１５】
【図１】本発明の実施形態の浴室暖房装置の設置状態を模式的に示す図。
【図２】本実施形態の浴室暖房装置の作動を示す説明図。
【図３】本発明の他の実施形態の浴室暖房装置の要部を上方から臨む説明図。
【発明を実施するための形態】
【００１６】
本発明の一実施形態を図面に基づいて説明する。本実施形態の浴室暖房装置１は、図１に示すように、浴室２の天井（浴室天井２ａ）裏（上面）に設置されている。浴室２には、脱衣室３が隣接している。脱衣室３の天井（脱衣室天井３ａ）裏には、浴室暖房装置１から後述の脱衣室送出路１２が延設されている。脱衣室３は、本発明における他室に相当する。
【００１７】
浴室暖房装置１は、図２に示すように、循環ファン４と、暖房用放熱器５（加熱部）とを備えている。循環ファン４は強制的に空気流を生成する。循環ファン４の上流側には、浴室２に向かって開口する吸い込み口６と、吸い込み口６から循環ファン４にかけての空気流を案内する空気供給路７とが設けられている。
【００１８】
暖房用放熱器５は、空気供給路７における循環ファン４の上流に設けられている。暖房用放熱器５には、図外の熱源機が備える暖房用熱交換器に接続された熱媒循環路８が接続されている。熱媒循環路８には、熱源機の暖房用熱交換器との間で熱媒（水、不凍液等）が循環される。
【００１９】
循環ファン４の下流には、浴室送出路９が設けられている。浴室送出路９の下流端には、浴室２に向かって開口する浴室側吹き出し口１０が設けられている。浴室送出路９には、分岐部１１を介して脱衣室送出路１２の上流端が接続されている。脱衣室送出路１２の下流端には、脱衣室天井３ａで開口する脱衣室側吹き出し口１３（図１参照）が設けられている。脱衣室送出路１２は、本発明における他室送出路に相当する。
【００２０】
分岐部１１には、脱衣室送出路１２を開閉するダンパ１４が設けられている。ダンパ１４は、脱衣室送出路１２と浴室送出路９との何れも閉塞可能な形状に形成され、分岐部１１の角部に枢着されている。
【００２１】
ダンパ１４は、脱衣室送出路１２を閉塞しているとき浴室送出路９を開放し、浴室送出路９を閉塞しているとき脱衣室送出路１２を開放し、脱衣室送出路１２の閉塞位置と浴室送出路９の閉塞位置との中間部に位置したとき（図２の実線で示すダンパ１４の状態）、脱衣室送出路１２と浴室送出路９との両方を開放する。このようなダンパ１４の作動は、図示しないアクチュエータの駆動により行われ、アクチュエータの制御はコントローラ１５により行われる。
【００２２】
循環ファン４の作動により吸い込み口６から空気供給路７に流れ込んだ空気は、暖房用放熱器５を通過することにより加熱される。このとき、ダンパ１４によって脱衣室送出路１２を閉塞し、浴室送出路９を開放することで、温風が浴室側吹き出し口１０から吹き出して、浴室２の暖房が行われる。
【００２３】
また、ダンパ１４によって浴室送出路９を閉塞し、脱衣室送出路１２を開放すると、温風が脱衣室側吹き出し口１３から吹き出し、脱衣室３の暖房が行われる。
【００２４】
また、ダンパ１４が脱衣室送出路１２の閉塞位置と浴室送出路９の閉塞位置との中間部に位置して、脱衣室送出路１２と浴室送出路９との両方を開放したときには、浴室２と脱衣室３との２室の暖房が同時に行われる。
【００２５】
このように、本実施形態によれば、浴室送出路９に脱衣室送出路１２を接続し、その分岐部１１にダンパ１４を設けた構成を採用したことにより、構造簡単で小型軽量に構成でき、低コストで脱衣室３の暖房が可能となる。
【００２６】
他の実施形態として、図３に示すように、浴室暖房装置１に換気路１６を設ける場合には、脱衣室送出路１２の中途位置に換気路１６の上流端を接続し、更に換気路１６を開閉する換気路開閉用ダンパ１７を設ける。換気路１６の下流端は屋外で開放する。
【００２７】
換気路開閉用ダンパ１７は、脱衣室送出路１２と換気路１６とが分岐する位置に設けられ、換気路１６を閉塞しているときには脱衣室送出路１２を開放し、換気路１６を開放しているときには脱衣室送出路１２を閉塞する。換気路開閉用ダンパ１７の駆動は図示しない他のアクチュエータにより行われ、その制御は前記コントローラ１５により行われる。
【００２８】
換気路１６を設ける場合には、換気ファン１８を設けることが好ましい。換気ファン１８は、脱衣室送出路１２における換気路１６よりも上流側に介設する。
【００２９】
浴室２の換気を行うときには、先ず、ダンパ１４により浴室送出路９を閉塞して脱衣室送出路１２を開放し、換気路開閉用ダンパ１７により脱衣室送出路１２を閉塞して換気路１６を開放する。次いで、循環ファン４と共に換気ファン１８を作動させる。これにより、浴室２の換気を確実に行うことができる。
【００３０】
そして、換気ファン１８は、脱衣室３の暖房の際にも用いることができる。この場合には、先ず、ダンパ１４により浴室送出路９を閉塞して脱衣室送出路１２を開放し、換気路開閉用ダンパ１７により換気路１６を閉塞して脱衣室送出路１２を開放する。次いで、循環ファン４と共に換気ファン１８を作動させる。これによれば、脱衣室送出路１２の距離が比較的長い場合の風量低下を抑えることができ、確実に脱衣室３に温風を供給して効率よく暖房を行うことができる。
【００３１】
なお、本実施形態の浴室暖房装置１以外に、図示しないが、換気路と換気ファンとを備える浴室暖房装置を用いて本発明を構成する場合には、脱衣室送出路を既存の換気ファンの下流側の換気路から分岐させればよい。これによれば、当該分岐位置の上流側を換気路と脱衣室送出路とで兼用することができ、重量等の増加も少なく構造簡単として安価に構成することができる。
【００３２】
また、本実施形態においては、浴室２と、浴室２に隣接する脱衣室３との暖房を例として挙げたが、脱衣室３以外の他室であっても本発明を採用して上記と同様の効果を得ることができる。
【符号の説明】
【００３３】
１…浴室暖房装置、２…浴室、２ａ…浴室天井（天井）、３…脱衣室（他室）、３ａ…脱衣室天井（天井）、４…循環ファン、５…暖房用放熱器（加熱部）、９…浴室送出路、１２…脱衣室送出路（他室送出路）、１４…ダンパ、１６…換気路、１７…換気路開閉ダンパ、１８…換気ファン。
【図１】
2019045121.tif 000003
【図２】
2019045121.tif 000004
【図３】
2019045121.tif 000005